(57)【要約】【課題】空冷用ファン装置の騒音レベルを下げることを目的とする。【解決手段】平板形状のパネル１０の背面側に配置されるシャーシ部材１４に前記パネル１０に信号を印加して表示を行う回路ブロック１６を配置して構成したパネルモジュールと、このパネルモジュールの回路ブロック側に配設されかつファン３１を回転させるモータ３２及びこのモータ３２の周囲に通風路３３が形成されるようにモータ３２を保持する枠体３４とで構成した空冷用ファン装置１７と、この空冷用ファン装置１７を前記パネルモジュールに取り付けるための金属フレーム３５とを有し、前記空冷用ファン装置１７を前記金属フレーム３５に防振ゴム４０を介して取り付けるとともに、前記金属フレーム３５を前記パネルモジュールに防振ゴム３７を介して取り付けた。【選択図】　図５
2004029388.tif 000002
【特許請求の範囲】
【請求項１】
平板形状のパネルの背面側に配置されるシャーシ部材に前記パネルに信号を印加して表示を行う回路ブロックを配置して構成したパネルモジュールと、このパネルモジュールの回路ブロック側に配設されかつファンを回転させるモータ及びこのモータの周囲に通風路が形成されるようにモータを保持する枠体とで構成した空冷用ファン装置と、この空冷用ファン装置を前記パネルモジュールに取り付けるための金属フレームとを有し、前記空冷用ファン装置を前記金属フレームに防振部材を介して取り付けるとともに、前記金属フレームを前記パネルモジュールに防振部材を介して取り付けたことを特徴とする表示装置。
【請求項２】
空冷用ファン装置を金属フレームに取り付けるための保持具を有し、前記空冷用ファン装置を保持具に防振部材を介して保持したことを特徴とする請求項１に記載の表示装置。
【請求項３】
空冷用ファン装置は、パネルモジュールの上部位置に複数個配設したことを特徴とする請求項１に記載の表示装置。
【発明の詳細な説明】
【０００１】
【発明の属する技術分野】
本発明は、大画面で、薄型、軽量のディスプレイとして知られているプラズマディスプレイ装置などの表示装置に関するものである。
【０００２】
【従来の技術】
近年、コンピュータやテレビなどの画像表示に用いられているカラー表示デバイスにおいて、プラズマディスプレイパネル（以下、ＰＤＰという）を用いたプラズマディスプレイ装置は、大型で薄型軽量を実現することのできるカラー表示デバイスとして注目されている。このＰＤＰでは、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００３】
このＰＤＰには、大別して、駆動的にはＡＣ型とＤＣ型があり、放電形式では面放電型と対向放電型の２種類があるが、高精細化、大画面化及び製造の簡便性から、現状では、ＰＤＰの主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００４】
このようなＰＤＰを用いたプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
【発明が解決しようとする課題】
ところで、このプラズマディスプレイ装置においては、パネルの背面側に表示駆動を行うための回路ブロックを配置してパネルモジュールを構成し、このパネルモジュールを筐体内に収容することにより構成されているが、複数の放電セルで放電させることにより表示を行うＰＤＰの構成上、放電に伴う熱が発生し、表示駆動に伴い、パネルモジュールの温度が上昇することから、回路ブロックが配置される背面側に空冷用のファン装置を配設している。
【０００６】
通常、このようなプラズマディスプレイ装置により映像を楽しむ場合、音も出ていることからファン装置による音は気にならないが、楽しんでいる映像の中で静かなシーンのようにほとんど音が出なくなった場合や、音量を絞って楽しんでいる場合など、ファン装置の音が耳障りになるという課題が発生することから、空冷用ファン装置による騒音レベルを出来る限り下げる必要がある。
【０００７】
本発明はこのような現状に鑑みなされたもので、空冷用ファン装置の騒音レベルを下げることを目的とする。
【０００８】
【課題を解決するための手段】
上記目的を達成するために本発明の表示装置は、空冷用ファン装置と、この空冷用ファン装置を前記パネルモジュールに取り付けるための金属フレームとを有し、前記空冷用ファン装置を前記金属フレームに防振部材を介して取り付けるとともに、前記金属フレームを前記パネルモジュールに防振部材を介して取り付けたものである。
【０００９】
【発明の実施の形態】
すなわち、本発明の請求項１記載の発明は、平板形状のパネルの背面側に配置されるシャーシ部材に前記パネルに信号を印加して表示を行う回路ブロックを配置して構成したパネルモジュールと、このパネルモジュールの回路ブロック側に配設されかつファンを回転させるモータ及びこのモータの周囲に通風路が形成されるようにモータを保持する枠体とで構成した空冷用ファン装置と、この空冷用ファン装置を前記パネルモジュールに取り付けるための金属フレームとを有し、前記空冷用ファン装置を前記金属フレームに防振部材を介して取り付けるとともに、前記金属フレームを前記パネルモジュールに防振部材を介して取り付けたものである。
【００１０】
また、請求項２に記載の発明は、請求項１において、空冷用ファン装置を金属フレームに取り付けるための保持具を有し、前記空冷用ファン装置を保持具に防振部材を介して保持したことを特徴とする。
【００１１】
また、請求項３に記載の発明は、請求項１において、空冷用ファン装置は、パネルモジュールの上部位置に複数個配設したことを特徴とする。
【００１２】
以下、本発明の一実施の形態による表示装置について、プラズマディスプレイ装置を例にとって、図１〜図１０を用いて説明するが、本発明の実施の態様はこれに限定されるものではない。
【００１３】
まず、プラズマディスプレイ装置におけるプラズマディスプレイパネルの構造について図１を用いて説明する。図１に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【００１４】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面及びオーバーコート層６の表面に蛍光体層９が設けられている。
【００１５】
これらの基板１と基板５とは、スキャン電極及びサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【００１６】
図２にこのプラズマディスプレイパネルの電極配列を示しており、図２に示すようにスキャン電極及びサステイン電極とアドレス電極とは、Ｍ行×Ｎ列のマトリックス構成であり、行方向にはＭ行のスキャン電極ＳＣＮ１〜ＳＣＮＭ及びサステイン電極ＳＵＳ１〜ＳＵＳＭが配列され、列方向にはＮ列のアドレス電極Ｄ１〜ＤＮが配列されている。
【００１７】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１８】
図３に上記で説明した構造のパネルを組み込んだプラズマディスプレイ装置の全体構成の一例を示している。図において、上述した平板形状のパネル１０を用いたパネルモジュールを収容する筐体は、前面枠１１と金属製のバックカバー１２とから構成され、前面枠１１の開口部には光学フィルター及びパネル１０の保護を兼ねたガラス等からなる前面カバー１３が配置されている。また、この前面カバー１３には電磁波の不要輻射を抑制するために、例えば銀蒸着が施されている。
【００１９】
前記パネル１０は、アルミニウム等からなるシャーシ部材１４の前面に熱伝導シート１５を介して背面側が保持され、そしてシャーシ部材１４の背面側には、パネル１０に信号を印加して表示駆動させるための複数の回路ブロック１６が取り付けられており、これによりパネルモジュールが構成されている。前記熱伝導シート１５は、パネル１０で発生した熱をシャーシ部材１４に効率よく伝え、放熱を行うためのものである。また、回路ブロック１６はパネル１０の表示駆動とその制御を行うための電気回路を備えており、パネル１０の縁部に引き出された電極引出部に、シャーシ部材１４の四辺の縁部を越えて延びる複数のフレキシブル配線板（図示せず）によって電気的に接続されている。また、シャーシ部材１４の後面には、回路ブロック１６を取り付けたり、バックカバー１２を固定するためのボス部１４ａが配設されている。
【００２０】
また、このパネルモジュールの回路ブロック１６側の上部位置には、シャーシ部材１４にネジなどで取り付けることにより、複数個（図示のものは４個）の空冷用ファン装置１７が配設されている。さらに、バックカバー１２の空冷用ファン装置１７に対向する部分には、パネルモジュールで発生した熱を外部に放出するための複数の通気孔１２ａが設けられ、また図示していないが、バックカバー１２の下部位置には、外気を内部に取り入れるための通気孔が設けられている。
【００２１】
なお、図３に示す例では、空冷用ファン装置１７を含めてパネルモジュールの回路ブロック１６側を覆うバックカバー１２として、装置全体の筐体を兼用する例で示しているが、装置の筐体として別途樹脂製のカバーを用いてもよく、この場合バックカバー１２は筐体を構成するような形状に加工しなくてもよい。
【００２２】
図４はこのような構成のプラズマディスプレイ装置において、バックカバー１２を外して内部の配置構造を詳細に示す平面図であり、この図４を用いて、パネルモジュールの配置構造について説明すると、スキャンドライバ回路ブロック２０はパネル１０のスキャン電極に所定の信号電圧を供給し、サステインドライバ回路ブロック２１はパネル１０のサステイン電極に所定の信号電圧を供給し、アドレスドライバ回路ブロック２２はパネル１０のアドレス電極に所定の信号電圧を供給するもので、スキャンドライバ回路ブロック２０、サステインドライバ回路ブロック２１はシャーシ部材１４の幅方向の両端部にそれぞれ配置され、またアドレスドライバ回路ブロック２２はシャーシ部材１４の高さ方向の上端部及び下端部に配置されている。そして、図４にも示すように、空冷用ファン装置１７は、アドレスドライバ回路ブロック２２が配置されるパネルモジュールの上部位置に４個配設している。
【００２３】
制御回路ブロック２３は、テレビジョンチューナ等の外部機器に接続するための接続ケーブルが着脱可能に接続される入力端子部を備えた入力信号回路ブロック２４から送られる映像信号に基づき、画像データをパネル１０の画素数に応じた画像データ信号に変換してアドレスドライバ回路ブロック２２に供給すると共に、放電制御タイミング信号を発生し、各々スキャンドライバ回路ブロック２０及びサステインドライバ回路ブロック２１に供給し、階調制御等の表示駆動制御を行うもので、シャーシ部材１４のほぼ中央部に配置されている。
【００２４】
電源ブロック２５は、前記各回路ブロックに電圧を供給するもので、前記制御回路ブロック２３と同様、シャーシ部材１４のほぼ中央部に配置され、電源ケーブル（図示せず）が装着されるコネクタ２６を有する電源入力ブロック２７を通して商用電源電圧が供給される。
【００２５】
ブラケット２８はスタンドポールに装着されるもので、シャーシ部材１４の高さ方向の下端部の位置に取り付けられている。据置用のスタンドに取り付けたスタンドポールの先端部をブラケット２８の孔に挿入し、ねじ等によりスタンドポールをブラケット２８に固定することによりスタンドが取り付けられ、これによりパネルを立てた状態で保持されることとなる。
【００２６】
フレキシブル配線板２９は、パネル１０のスキャン電極、サステイン電極の電極引出部とスキャンドライバ回路ブロック２０、サステインドライバ回路ブロック２１のプリント配線板とを接続し、フレキシブル配線板３０はパネル１０のアドレス電極の電極引出部とアドレスドライバ回路ブロック２２のプリント配線板とを接続するもので、パネル１０の外周部を通して、前面側より背面側に１８０度湾曲させて引き回して配置している。
【００２７】
図５、図６は上記空冷用ファン装置１７の周辺部を示す図であり、図７〜図１０はその空冷用ファン装置１７の主要部を示す図であり、図５、図６に示すように空冷用ファン装置１７は、ファン３１を回転させるモータ３２と、このモータ３２の周囲に通風路３３が形成されるようにモータ３２を保持するモータ支持部３４ａを備えた枠体３４とで構成されている。
【００２８】
また、金属フレーム３５は、空冷用ファン装置１７をシャーシ部材１４に取り付けるためのもので、この金属フレーム３５の取り付け片３５ａをシャーシ部材１４に設けた立壁１４ｂ及びボス部１４ａの一部にねじ３６で固定することにより、空冷用ファン装置１７がシャーシ部材１４及び回路ブロック１６との間に間隙をあけて取り付けられている。この金属フレーム３５の取り付け片３５ａには、図７に示すようにワッシャ状の防振部材としての防振ゴム３７を取り付け片３５ａに嵌め込むことにより配設されており、これにより金属フレーム３５は、シャーシ部材１４に設けた立壁１４ｂ及びボス部１４ａに防振ゴム３７を介して取り付けられている。
【００２９】
さらに、図８、図９に示すように、空冷用ファン装置１７は、枠体３４を金属製の保持具３８で保持し、その保持具３８の取り付け片３８ａを金属フレーム３５にねじ３９で固定することにより取り付けられている。また、図１０に示すように、金属製の保持具３８は、空冷用ファン装置１７の枠体３４の４つの角部が嵌り合う保持部３８ｂを有しており、そしてその保持部３８ｂには、防振部材としての防振ゴム４０が配設されており、これにより前記空冷用ファン装置１７は保持具３８に防振ゴム４０を介して保持されている。すなわち、図９、図１０に示すように、まず空冷用ファン装置１７に防振ゴム４０を介して保持具３８を嵌め合わせ、その状態で図８に示すようにねじ３９で金属フレーム３５に保持具３８を取り付けることにより、空冷用ファン装置１７が金属フレーム３５に防振ゴム４０を介して取り付けられている。
【００３０】
以上の実施の形態から明らかなように、空冷用ファン装置１７を前記金属フレーム３５に防振ゴム４０を介して取り付けるとともに、前記金属フレーム３５を前記パネルモジュールに防振ゴム３７を介して取り付けたことにより、空冷用ファン装置１７の振動が金属フレーム３５に伝わるのを防振ゴム４０により吸収し、さらに金属フレーム３５からパネルモジュールのシャーシ部材１４に振動が伝わるのを防振ゴム３７により吸収することができ、これにより空冷用ファン装置１７の振動による不要な騒音を少なくすることができる。
【００３１】
【発明の効果】
以上の説明から明らかなように本発明による表示装置によれば、空冷用ファン装置の振動を吸収して不要な騒音を少なくすることができるという効果が得られる。
【図面の簡単な説明】
【図１】本発明の一実施の形態によるプラズマディスプレイ装置のパネルの概略構成を示す斜視図
【図２】同プラズマディスプレイ装置のパネルの電極配列を示す説明図
【図３】同プラズマディスプレイ装置の内部の配置構造を示す分解斜視図
【図４】同プラズマディスプレイ装置の内部の配置構造を示す平面図
【図５】同プラズマディスプレイ装置の空冷用ファン装置部分を示す平面図
【図６】同部分の一部を断面で示す側面図
【図７】同部分の主要部を示す側面図
【図８】空冷用ファン装置を金属フレームに取り付ける状態を示す側面図
【図９】空冷用ファン装置に保持具を取り付けた状態を示す平面図
【図１０】同部分の主要部を示す平面図
【符号の説明】
１０　パネル
１１　前面枠
１２　バックカバー
１２ａ　通気孔
１４　シャーシ部材
１７　空冷用ファン装置
３１　ファン
３２　モータ
３３　通風路
３４　枠体
３５　金属フレーム
３７、４０　防振ゴム
３８　保持具
【図１】
2004029388.tif 000003
【図２】
2004029388.tif 000004
【図３】
2004029388.tif 000005
【図４】
2004029388.tif 000006
【図５】
2004029388.tif 000007
【図６】
2004029388.tif 000008
【図７】
2004029388.tif 000009
【図８】
2004029388.tif 000010
【図９】
2004029388.tif 000011
【図１０】
2004029388.tif 000012